(57)【要約】【課題】簡易な作業で送電用がいしに対して一時的に装着することができ、且つ送電用がいしから落下することも防止して、送電用がいしのヒダの保護を確実に図ることが可能な送電用がいしの保護カバーを提供する。【解決手段】この発明に係る送電用がいしの保護カバー１は、ボールソケット形の懸垂がいしたる送電用がいし１００に装着するのに好適なものであって、基板２と、基板２の周縁から立設した周壁部３とで構成され、基板２は、通孔２２が頂部に形成された筒状部２１を有し、通孔２２にピン部材１０３が挿入可能となっていると共に、送電用がいし１００の傘部１０１とヒダ１０５との間及び／又はヒダ１０５、１０５間に挿入することが可能な突出部２３、２４が形成され、周壁部３は、傘部１０１の外側面に当接する内側面３１を有するものとする。これにより、送電用がいし１００のヒダ１０５と送電用がいし１００のキャップ１０２との間に保護カバー１が配置されて、送電用がいし１００のヒダ１０５を保護することができる。【選択図】図４
2014194891.tif 000002
【特許請求の範囲】
【請求項１】
傘部及び前記傘部から突出した頭部を有すると共に前記傘部の下部に複数のヒダが形成された絶縁性のがいし本体と、前記傘部から前記頭部とは反対側に突出するように設けられたピン部材と、前記頭部を覆うと共に前記ピン部材の先端部分が装着可能な導電性のキャップとを備えた送電用がいしに、着脱自在に装着される保護カバーであって、
基板と、前記基板の周縁から立設した周壁部とで少なくとも構成され、
前記基板は、前記ピン部材が挿入可能な通孔を有すると共に、前記周壁部と前記ヒダとの間及び／又は前記ヒダ間に挿入することが可能な突出部が形成され、
前記周壁部は、前記傘部の外側面に当接する内側面を有することを特徴とする送電用がいしの保護カバー。
【請求項２】
前記基板は、前記通孔から前記周壁部に向けて延びる切欠きが形成され、前記周壁部は、前記基板の切欠きと連続すると共に前記通孔の軸方向に沿って延びる切欠きが形成されていることを特徴とする請求項１に記載の送電用がいしの保護カバー。
【請求項３】
シリコン素材が用いられていることを特徴とする請求項１又は請求項２に記載の送電用がいしの保護カバー。
【発明の詳細な説明】
【技術分野】
【０００１】
この発明は、送電用がいしの取り替え時に送電用がいしが損傷するのを防止するために送電用がいしに一時的に装着される保護カバーに関する。
【背景技術】
【０００２】
送電用がいしの種類として、例えば特許文献１の図２から図４等に示されるボールソケット形の懸垂がいしがあり、このようなボールソケット形の懸垂がいしは、例えば７個から１７個と、電圧に応じて増減しつつ、複数にわたって連接された状態で使用される。そして、連接されたボールソケット形の懸垂がいしの１つを、絶縁性能の低下等により取り替えが必要となる場合があり、懸垂がいしの取り替え時には、前記特許文献１に示されるように、取り外し対象の懸垂がいしとこの取り外し対象の懸垂がいしの上方に位置する懸垂がいしとを連結していたピンを外す作業が行われる。
【０００３】
この懸垂がいしの取り替えのためにピンを外す時に、上下に隣り合う懸垂がいしのうち下方の懸垂がいしのキャップが上方の懸垂がいしのヒダに当たって、上方の懸垂がいしのヒダが割れる等の損傷を生ずるおそれがあるので、懸垂がいし間に、麻袋（ドンゴロスとも称する。）等の袋状・筒状の部材を一時的に介在させたり、古布（ウエスとも称する。）等の面状の部材を一時的に介在させたりしながら、懸垂がいし同士を連結するピンを外して、上方の懸垂がいしのヒダを保護することが一般的に行われている。
【先行技術文献】
【特許文献】
【０００４】
【特許文献１】特開２０１２−２００８１５号公報
【発明の概要】
【発明が解決しようとする課題】
【０００５】
もっとも、懸垂がいし間に、麻袋等の袋状・筒状の部材を介在させたり、古布等の面状の部材を介在させたりした状態を保持するために、ビニルテープ等で巻く等して、懸垂がいしと麻袋等の袋状・筒状の部材や古布等の面状の部材とを固く縛る必要があるので、懸垂がいしを保護するための作業が煩雑化する。
【０００６】
そして、懸垂がいし間に介在させた麻袋等の袋状・筒状の部材や古布等の面状の部材が所要の厚みを有しない場合には、懸垂がいし間に麻袋等の袋状・筒状の部材や古布等の面状の部材を介在させても、上方の懸垂がいしのヒダの保護を十分に図ることができないおそれがある。
【０００７】
更に、懸垂がいしと麻袋等の袋状・筒状の部材や古布等の面状の部材とを固く縛るためのビニルテープ等が解けて、ビニルテープ等及び麻袋等の袋状・筒状の部材や古布等の面状の部材が落下してしまった場合にも、懸垂がいしのヒダの保護を十分に図ることができない事態となる。
【０００８】
そこで、本発明は、簡易な作業で送電用がいしに対して一時的に装着することができ、且つ送電用がいしから落下することも防止して、送電用がいしのヒダの保護を確実に図ることが可能な送電用がいしの保護カバーを提供することを目的とする。
【課題を解決するための手段】
【０００９】
この発明に係る送電用がいしの保護カバーは、傘部及び前記傘部から突出した頭部を有すると共に前記傘部の下部に複数のヒダが形成された絶縁性のがいし本体と、前記傘部から前記頭部とは反対側に突出するように設けられたピン部材と、前記頭部を覆うと共に前記ピン部材の先端部分が装着可能な導電性のキャップとを備えた送電用がいしに、着脱自在に装着される保護カバーであって、基板と、前記基板の周縁から立設した周壁部とで少なくとも構成され、前記基板は、前記ピン部材が挿入可能な通孔を有すると共に、前記周壁部と前記ヒダとの間及び／又は前記ヒダ間に挿入することが可能な突出部が形成され、前記周壁部は、前記傘部の外側面に当接する内側面を有することを特徴としている（請求項１）。送電用がいしは、例えばボールソケット形の懸垂がいしである。また、傘部の下部のヒダは、例えばピン部材を中心とした同心円状に複数形成されたものとなっている。
【００１０】
これにより、送電用がいしの保護カバーは、送電用がいしに対し、螺子止めやロック機構による固定でなく、嵌め込みにより装着されるので、保護カバーの送電用がいしへの装着作業が簡易であり、螺子外しやロック機構による固定の解除もないので、保護カバーの送電用がいしからの取り外し作業も簡易である。そして、保護カバーの送電用がいしへの装着時には、外環部の内側面が送電用がいしの傘部の外側面に当接し、突出部が送電用がいしの傘部のヒダ間に挿入されるので、保護カバーが送電用がいしから安易に外れることがない。更に、上方の送電用がいしの傘部のヒダと下方の送電用がいしのキャップとの間に保護カバーが介在するので、下方に位置する送電用がいしのキャップが上方に位置する送電用がいしの傘部のヒダ部に対し直接に当たることがない。
【００１１】
また、この発明に係る送電用がいしの保護カバーにおいて、前記基板は、前記通孔から前記周壁部に向けて延びる切欠きが形成され、前記周壁部は、前記基板の切欠きと連続すると共に前記通孔の軸方向に沿って延びる切欠きが形成されていることを特徴としている（請求項２）。これにより、保護カバーの基板から周壁部に続く切欠きを拡げることで、送電用がいしに対し保護カバーを横方向から装着することが可能となる。
【００１２】
そして、この発明に係る送電用がいしの保護カバーは、シリコン素材が用いられていることを特徴としている（請求項３）。これにより、保護カバーのクッション性や装着時における曲げ加工性を得ることができる。
【発明の効果】
【００１３】
以上のように、本発明によれば、送電用がいしの保護カバーは、送電用がいしに対し、螺子止めやロック機構による固定でなく、嵌め込みにより装着されるため、保護カバーの送電用がいしへの装着作業が簡易であり、螺子外しやロック機構による固定の解除もないため、保護カバーの送電用がいしからの取り外し作業も簡易であることから、送電用がいしの取り替え時において保護カバーを送電用がいしに対し一時的に装着することが煩雑化せず、送電用がいしの取り替え作業全体の効率化、迅速化を図ることもできる。
【００１４】
そして、本発明によれば、保護カバーの送電用がいしへの装着状態では、保護カバーの外環部の内側面が送電用がいしの傘部の外側面に当接し、保護カバーの突出部が送電用がいしの傘部のヒダ間に挿入されているので、送電用がいしの取り替え作業中に、保護カバーが送電用がいしから安易に外れることがなくなる。
【００１５】
更に、本発明によれば、上方の送電用がいしの傘部のヒダと下方の送電用がいしのキャップとの間に保護カバーが介在するので、下方の送電用がいしのキャップが上方の送電用がいしの傘部のヒダ部に対し直接に当たるのを防止することができる。よって、送電用がいしの取り替え時に、上方の送電用がいしのヒダと下方の送電用がいしのキャップ等とが不用意に当接するおそれがなくなり、交換をしない上方の送電用がいしのヒダが破損してしまうのを確実に防止することが可能である。
【００１６】
特に請求項２に記載の発明によれば、保護カバーの基板から周壁部に続く切欠きを拡げることで、送電用がいしに対し保護カバーを横方向から装着することが可能となるので、保護カバーの着脱作業をより一層簡便にすることができる。
【００１７】
特に請求項３に記載の発明によれば、送電用がいしの保護カバーにシリコン素材が用いられているので、保護カバーのクッション性や装着時における曲げ加工性を得ることができる。
【図面の簡単な説明】
【００１８】
【図１】図１は、この発明に係る保護カバーが装着される送電用がいしが上下に複数連結されてがいし連となった状態を示す説明図である。
【図２】図２（ａ）は、前記送電用がいしにおいて割りピンが頭部の空洞部内に挿入されて送電用がいし同士の連結がロックされた状態を示す説明図であり、図２（ｂ）は、前記送電用がいしにおいて割りピンが頭部の空洞部内から引き出されて送電用がいし同士の連結のロックが解除された状態を示す説明図である。
【図３】図３は、この発明に係る保護カバーの構成を示す説明図であり、図３（ａ）は、前記保護カバーの平面図、図３（ｂ）は、前記保護カバーの断面図、図３（ｃ）は、前記保護カバーの底面図である。
【図４】図４は、下方の送電用がいしから上方の送電用がいしを保護するために上方の送電用がいしに保護カバーが装着された状態を示す説明図である。
【発明を実施するための形態】
【００１９】
以下、この発明の実施形態を図面に基づいて説明する。
【００２０】
図１及び図２において、本発明に係る保護カバー１が装着される送電用がいし１００の一例が示されている。図１、図２で示される送電用がいし１００は、ボールソケット形の懸垂がいしの種類に属するもので、公知のものであるが、以下にその構成を説明する。
【００２１】
送電用がいし１００は、傘部１０１ａ及びこの傘部１０１ａから突出した頭部１０１ｂを有するがいし本体１０１と、がいし本体１０１の頭部１０１ｂに対しこの頭部１０１ｂを覆うように取り付けられたキャップ１０２と、基部１０３ｂが、がいし本体１０１の頭部１０１ｂ内に固定され、先端部１０３ａが、がいし本体１０１の傘部１０１ａから突出したピン部材１０３とを有して構成されている。
【００２２】
がいし本体１０１は、陶磁器や合成樹脂等の絶縁素材により形成されているもので、このがいし本体１０１の傘部１０１ａは、底部が開放された空間１０４を有する略円錐台状の形状を成し、傘部１０１ａの頭部１０１ｂとは反対側面から前記空間１０４内に、ピン部材１０３と同方向に突出した複数のヒダ１０５を有している。ヒダ１０５は、環状のもので、この実施形態では、ピン部材１０３を中心とした同心円状となるように形成されている。
【００２３】
がいし本体１０１の頭部１０１ｂは、傘部１０１ａの空間１０４に連通する空間１０６を有し、この空間１０６内にピン部材１０３の太さが相対的に大きくなっている基部１０３ｂが固定されている。そして、ピン部材１０３は、頭部１０１ｂの空間１０６から傘部１０１ａの空間１０４に至るもので、太さが相対的に大きくなっている先端部１０３ａを有し、先端部１０３ａの全部又は一部が傘部１０１ａから外部に突出している。
【００２４】
キャップ１０２は、例えば金属製のもので、がいし本体１０１の頭部１０１ｂ側が開放された空洞部１０７を有しており、その頂部に他の送電用がいし１００のピン部材１０３の先端部１０３ａが挿入して空洞部１０７内にて係合することが可能な係合孔１１２が形成されている。そして、この実施形態では、ピン部材１０３の先端部１０３ａを横方向（図１の右側）に移動させることにより、ピン部材１０３の先端部１０３ａは、キャップ１０２の係合部１０２ｂと係合し、送電用がいし１００、１００同士を上下にて連結させることが可能となっている。
【００２５】
そして、キャップ１０２の係合部１０２ａは、かかる係合部１０２ａの外形を構成する壁部の一部を切り欠いてなる溝部１０８と、かかる係合部１０２ａを構成する壁部のうち溝部１０８とは反対側となる部位を切り欠いてなる貫通孔１０９とを有し、壁部内は前記空洞部１０７となっている。
【００２６】
更に、割りピン１１０が貫通孔１０９から空洞部１０７内に差し込まれている。割りピン１１０は、この実施形態では、その途中部分が折り返されて略円弧状の折り返し部１１０ａを有していると共に、この折り返し部１１０ａと連接された端部１１０ｂと端部１１０ｃとは先端部分が開いたものとなっている。そして、端部１１０ｂは、先端部分を除く部位が直線状であるのに対し、端部１１０ｃは、その途中において湾曲部１１１を有している。
【００２７】
このようなキャップ１０２の係合部１０２ａの構成とし、更に上記した割りピン１１０を備えることにより、図２（ａ）に示されるように、割りピン１１０が貫通孔１０９から空洞部１０７内に深く差し込まれた状態では、ピン部材１０３の先端部１０３ａとキャップ１０２の係合部１０２ａとの係合状態、ひいては送電用がいし１００、１００同士の連結状態がロックされたものとなる。これに対し、図２（ｂ）に示されるように、割りピン１１０を引き出して、割りピン１１０が貫通孔１０９から空洞部１０７内に浅く差し込まれた状態では、ピン部材１０３の先端部１０３ａとキャップ１０２の係合部１０２ｂとの係合状態、ひいては送電用がいし１００、１００同士の連結状態に対するロックが解除され、所要の送電用がいし１００の取り替えが可能となる。
【００２８】
次に、送電用がいし１００の取り替時に、上方に位置する送電用がいし１００に装着される保護カバー１について、図３及び図４を用いて説明する。
【００２９】
保護カバー１は、例えばシリコン等で形成されたもので、基本形態が円板状の基板２と、この基板２の周縁から立設した周壁部３とを有して構成されている。
【００３０】
基板２は、この実施形態では、図３（ａ）及び図３（ｂ）に示されるように、周壁部３の立設方向に向けて膨出した略半球の筒状の膨出部２１ａと、膨出部２１ａの先端から膨出部２１ａの軸方向に沿って直線的に延びる筒状の突出部２１ｂとで成る筒状部２１を、円板の中心部に有している。筒状部２１及び基板２の筒状部２１の周縁部位の厚みは、送電用がいし１００のキャップ１０２が当接しても変形せず変形しても変形量を小さくすることができ、更にはキャップ１０２からの衝撃を吸収等することが可能な寸法となっている。そして、保護カバー１の膨出部２１ａ、突出部２１ｂは、上方の送電用がいし１００への装着時において、図４に示されるように、下方に位置する送電用がいし１００とは接せず、所定の幅の空間が形成され、特に保護カバー１と下方に位置する送電用がいし１００との横方向における空間の幅は相対的に大きく採られている。この横方向における空間の幅は、保護カバー１が上方の送電用がいし１００に装着された状態で、下方に位置する送電用がいし１００を上方の送電用がいし１００から取り外すために横方向に動かすのに十分な寸法となっている。
【００３１】
突出部２１ｂの頂部には、円状の通孔２２が開口し、この通孔２２は、突出部２１ｂ及び膨出部２１ａの内部空間と連通している。そして、通孔２２の開口及び突出部２１ｂの内部空間の内径寸法は、ピン部材１０３の先端部１０３ａを挿入することが可能な大きさをなしている。また、膨出部２１ａの内部空間の内形状は、送電用がいし１００のキャップ１０２の上側部分の外形状と略同じ形状になっている。
【００３２】
更に、基板２は、筒状部２１と周壁部３との間となる部位において、筒状部２１と同方向に略環状に突出した突出部２３、２４を有しており、突出部２３、２４は、通孔２２を中心とした同心円状になっている。更に、相対的に内側に位置する突出部２３は、送電用がいし１００のヒダ１０５、１０５間に挿入することができ、相対的に外側に位置する突出部２４は、傘部１０１ａとヒダ１０５との間に挿入することができるように配置されている。そして、突出部２３、２４の基板の径方向に沿った厚みは、ヒダ１０５、１０５間、傘部１０１ａとヒダ１０５との間に圧入することが可能なように、ヒダ１０５、１０５間の寸法、傘部１０１ａとヒダ１０５との間の寸法より若干大きいことが好ましい。また、この実施形態では、突出部の数が２つとなっているが、傘部１０１ａのヒダ１０５、１０５間の数に対応して３つ以上であっても良い。
【００３３】
周壁部３は、図３（ｂ）に示されるように、その内側面３１が送電用がいし１００の傘部１０１ａの外側面の外面形状に沿って内側に向けて円弧状に湾曲しつつ延びた形状をなしている。これにより、周壁部３は、送電用がいし１００の傘部１０１ａの外側面に当接しつつ、傘部１０１ａの多くの部分を包むことができるようになっている。
【００３４】
そして、図３（ａ）及び図３（ｃ）に示されるように、保護カバー１は、通孔２２の軸方向から見て、略三角形状の切欠き４を有している。この切欠き４は、基板２の通孔２２の開口縁から周壁部３に向けて延びる切欠き４１と、周壁部３の基板２の切欠き４１と連続すると共に通孔２２の軸方向に沿って延びる切欠き４２とで成っている。
【００３５】
このように、保護カバー１が切欠き４を有することにより、保護カバー１の切欠き４の両側部位を例えば絶縁ヤットコ等の間接活線把持工具で把持して切欠き４の間隔を拡げることによって、保護カバー１は、図１に示されるような、上下に連結した状態の送電用がいし１００、１００であっても、下方に位置する送電用がいし１００を外すことなく、上方に位置する送電用がいし１００に対して横方向から装着することが可能である。
【００３６】
そして、上下に連結した状態の送電用がいし１００、１００のうち上方に位置する送電用がいし１００に保護カバー１を装着することにより、上方に位置する送電用がいし１００のヒダ１０５と下方に位置する送電用がいし１００のキャップ１０２との間に保護カバー１の基板２及びこの基板２から突出した筒状部２１が介在しているので、上方に位置する送電用がいし１００のヒダ１０５と下方に位置する送電用がいし１００のキャップ１０２とが直接に当接することがなくなる。更に、基板２及び筒状部２１は所要の厚みを有しているため、下方に位置する送電用がいし１００のキャップ１０２が保護カバー１の基板２及び筒状部２１に当接しても、保護カバー１が上方に位置する送電用がいし１００のヒダ１０５側に変形せず、又は変形したとしても変形量が小さく、更にはキャップ１０２が保護カバー１に当接したときの衝撃がヒダ１０５に伝達されないので、上方に位置する送電用がいし１００のヒダ１０５は破損から保護される。
【００３７】
しかも、保護カバー１は、ねじ止めやロック機構によるロック等をすることなく、送電用がいし１００の傘部１０１ａに装着されるので、保護カバー１は着脱容易に送電用がいし１００に装着することができ、保護カバー１が送電用がいし１００の取り替え時において一時的に送電用がいし１００に装着される場合でも、送電用がいし１００の取り替え作業の煩雑化、長時間化を招くことがない。
【００３８】
更に、保護カバー１は、送電用がいし１００への装着時には、周壁部３が内側面３１で傘部１０１ａの外側面と当接しつつ傘部１０１ａを包むと共に、突出部２３が送電用がいし１００のヒダ１０５、１０５間に挿入（圧入）され、突出部２４が送電用がいし１００の傘部１０１ａとヒダ１０５との間に挿入（圧入）されるので、保護カバー１が安易に送電用がいし１００から外れて落下することも抑止される。
【符号の説明】
【００３９】
１  保護カバー
２  基板
２１  筒状部
２２  通孔
２３  突出部
２４  突出部
３  周壁部
３１  周壁部の内側面
４  切欠き
４１  切欠き
４２  切欠き
１００  送電用がいし
１０１  がいし本体
１０１ａ  がいし本体の傘部
１０１ｂ  がいし本体の頭部
１０２  キャップ
１０３  ピン部材
１１２  係合孔
【図１】
2014194891.tif 000003
【図２】
2014194891.tif 000004
【図３】
2014194891.tif 000005
【図４】
2014194891.tif 000006